(57)【特許請求の範囲】
【請求項１】
写真のプレゼントをする贈呈者とプレゼントされる被贈呈者を含む会員からなるネットワークを介して前記贈呈者から画像をサーバーにアップロードする贈呈者端末と、前記被贈呈者が個人情報を前記サーバーにアップロードする被贈呈者端末と、制御手段と、前記画像のプリント枚数情報を価格情報により決定する手段と、前記制御手段により前記個人情報を基に前記画像の中から所定の画像を選択するとともに、同梱する広告を選択するよう制御し、前記選択された画像を写真にプリントするプリント手段と、前記写真と前記広告をケースに収容する手段を備え、前記制御手段は、前記広告が期限日情報を有し、前記期限日情報と写真・広告の発送日情報との期間が所定以上であるよう制御する写真・広告同梱システム。
【請求項２】
速達便、普通便によりそれぞれ前記期限日情報と前記発送日情報との期限を制限するように制御する請求項1に記載の写真・広告同梱システム。
【発明の詳細な説明】
【技術分野】
【０００１】
本発明は、他人に贈呈する写真とともに写真プリント代、送料の少なくとも一部を負担
し、またもよりの情報を告知するために広告を同梱するための写真・広告同梱システムに関する。
【背景技術】
【０００２】
特許文献１では、猫好きの人の写真プリントには、写真と猫愛好家向けの広告を合成させることにより、広告の効果を増大させることができることを示している。ここで、デジタル画像データと広告情報の合成方法の例を図１３に示す。デジタル画像データと広告情報との合成方法は、プリント依頼者が選択できる。図１３（ａ）、（ｂ）では、画像の一部を切り取り、その部分に広告情報を表示させている。図１３（ｃ）では、画像の周辺に縁を設け、縁に広告情報を表示させている。また、広告情報をプリントとは別紙上に形成し、複数枚のプリントの間に挿入するようにすることもできると記載されている。
【先行技術文献】
【特許文献】
【０００３】
【特許文献１】特開２００２−１５２２０号公報
【発明の概要】
【発明が解決しようとする課題】
【０００４】
上記の特許文献１は、猫好きの猫愛好家の画像に猫愛好家向けの広告を付加するものであり、写真を依頼した人の好きそうな広告を付加するものであるが、写真をプレゼントする思想ではなく、写真をプレゼントする際に、写真のプレゼントを受ける人に、その人の好みそうな写真をプレゼントするという思想はなかった。
【０００５】
そこで、本発明は、写真をプレゼントされる人が受け取って喜びそうな写真を選択し、写真とは別に広告を同梱するという写真・広告を同梱させる写真・広告同梱システムを提供することを目的とするものである。
【０００６】
また、写真をプレゼントを受ける人が写真をみて不快に思わないように色、露出、手ブレもなく、構図のいい写真を選択してプレゼントする写真・広告同梱システムを提供するものである。
【課題を解決するための手段】
【０００７】
本発明の請求項１は、写真のプレゼントをする贈呈者とプレゼントされる被贈呈者を含む会員からなるネットワークを介して前記贈呈者から画像をサーバーにアップロードする贈呈者端末と、前記被贈呈者が個人情報を前記サーバーにアップロードする被贈呈者端末と、制御手段と、前記画像のプリント枚数情報を価格情報により決定する手段と、前記制御手段により前記個人情報を基に前記画像の中から所定の画像を選択するとともに、同梱する広告を選択するよう制御し、前記選択された画像を写真にプリントするプリント手段と、前記写真と前記広告をケースに収容する手段を備え、前記制御手段は、前記広告が期限日情報を有し、前記期限日情報と写真・広告の発送日情報との期間が所定以上であるよう制御する写真・広告同梱システムを提供するものである。
【０００８】
請求項２は、速達便、普通便によりそれぞれ前記期限日情報と前記発送日情報との期限を制限するように制御する請求項1に記載の写真・広告同梱システムを提供するものである。
【発明の効果】
【００１３】
上述したように、本発明の写真・広告同梱システムは、写真をプレゼントするためのものであり、しかもプレゼントされる人の個人情報をもとに選択され、さらに写真をプレゼントされる人にとって自分の顔画像がある写真は記念になるメリットがある。さらに露出、色、手ブレがなく、いい構図の画像を選択されてプレゼントされて気持ちが良くなるメリットを有する。
【００１４】
また個人情報に基づく広告が同梱されているのでプレゼントされる人が買いたくなる製品、または参加したくなる催し物を知ることになる。さらに広告の期限情報があればそれよりも数日前に送付され、また広告が同梱されているのでプレゼントする人に対して写真のプリント代、輸送料金に対して補助されることになるので好都合である。さらに画像にタイトルが付され、そのタイトルを基に広告が選択される。たとえばいい景色の写真がプレゼントされると、その景色の場所に行きたくなるような広告を同梱されていればそこに行きたくなる人の希望に応えることになる。
【図面の簡単な説明】
【００１５】
【図１】本発明の写真・広告同梱システムの概念図
【図２】本発明の写真・広告同梱システムの写真例
【図３】本発明の写真・広告梱包システムに用いるミニラボ機を示す図
【図４】本発明の写真・広告梱包システムでミニラボ機でプリントされた写真を底ケースに収容する図
【図５】本発明の写真・広告梱包システムの底ケースに上蓋を結合する図
【図６】本発明の写真・広告同梱システムのブロック図
【図７】本発明の写真・広告同梱システムの制御部７のプログラムを表す第１のフローチャート
【図８】本発明の写真・広告同梱システムの制御部７のプログラムを表す第２のフローチャート
【図９】本発明の写真・広告同梱システムの制御部７のプログラムを表す第３のフローチャート
【図１０】本発明の写真・広告同梱システムの制御部７のプログラムを表す第４のフローチャート
【図１１】本発明の写真・広告同梱システムの制御部７のプログラムを表す第５のフローチャート
【図１２】本発明の写真・広告同梱システムの制御部７のプログラムを表す第６のフローチャート
【図１３】従来例
【発明を実施するための形態】
【００１６】
図１は、本発明の写真・広告同梱システムの概念図を示す。
【００１７】
１は、納品ケースの底ケースで、１Ａで示す写真収容部および１Ｂで示す広告収容部にＰで示す写真、Ｑで示す広告シートの束を収容する。
【００１８】
３は、宛名、この写真を収容した納品ケースを注文者のもとへ配送する配送会社等を記入したヘッダープリントで、写真の上にヘッダープリントを載置するように制御する。３Ａには配送会社名が、３Ｂには注文者の宛名を、３Ｃにはこの納品ケースを取扱う店舗名の名称が記録されている。３Ｂの下には３Ｄで示す支払手段を識別する視認可能なカラーバーが記録されており、３Ｅにはプリント枚数等が示されている。
【００１９】
４は、底ケース１に写真Ｐ、広告シートＱを収容し、さらに宛名、配送会社等が記録されたヘッダープリントを収容して閉鎖する上蓋を示し、上蓋４を底ケース１の端部に圧接して加熱して溶着するような接着方法で接着するよう制御する。４Ａはヘッダープリントの文字が視認可能なように透明部をもって印刷されている。
【００２０】
上蓋４の透明部よりヘッダープリント３に印刷された店舗名によってカラー印刷を変更すれば、店舗名の名称を見なくても店舗名を識別可能である。また上蓋４は後述するように注文者の誕生日等の記念日に配送日が当たる場合に不図示であるが、お祝い用に飾った印刷を施した上蓋とするなどバリエーションを持たせることが可能である。従って上蓋４は店舗毎や贈り物用パッケージ（誕生日・結婚式・イベント）によって変えることが出来る。
【００２１】
図２は、本発明の写真・広告同梱システムの写真例を示す。
【００２２】
ヘッダープリント３に引き続いて写真Ｐ１〜Ｐ５を同時にプリントを行い、各プリントを切り離して底ケース１に収容する。同一ケースに間違いなくヘッダープリント３と写真Ｐ１〜Ｐ５を収容することができる。
【００２３】
図３は、本発明の写真・広告同梱システムで用いる写真をプリントするミニラボ機を示す図である。
【００２４】
Ｂで示すミニラボ機は、露光部Ｅｘと、現像部Ｄｅと、乾燥部ＤｒとをＦで示す暗箱構造の筐体に収容した構造を有する。また、乾燥部Ｄｒの出口には、筐体Ｆの上部のＧで示す排出部から送り出される乾燥済みの写真プリントＰを水平方向に送るＨで示す搬送ベルト、及び、その写真プリントＰをオーダー単位でＪで示すトレー内に仕分けて集積するＫで示すソータが設けられている。
【００２５】
図４は、本発明の写真・広告梱包システムで、ミニラボ機Ｂでプリントされた写真プリントを底ケースに収容する図でミニラボ機Ｂの上方から見た図を示す。
【００２６】
ミニラボ機Ｂでプリントされた写真プリントＰが搬送ベルトＨで運ばれてトレイＪに運ばれて集積される。トレイＪに集積された写真プリントはトレイＪを傾斜させて自重または複数の写真プリントを、不図示の工具を用いて掴んでＬで示す底ケース搬送部に載置された底ケース１の写真収容部１Ａに導き、Ｍで示す広告シート集積部に載置された広告シートＱを不図示の工具を用いて広告収容部１Ｂに導く。
【００２７】
図５は、本発明の写真・広告梱包システムの底ケースに上蓋を結合する図を示す。
【００２８】
先の底ケース搬送部Ｌによって搬送された写真収容部１Ａに収容された写真Ｐとその上にヘッダープリント３を、広告収容部１Ｂに収容された広告シートＱを収容し、上蓋４をシートでロール状にした４Ｂで示す上蓋シートを底ケース１の上に位置させ４Ｘで示す加熱部を上蓋シート４Ｂに押し当てて上蓋シート４Ｂの裏面に塗布された接着剤で接着する。また上蓋シート４Ｂにはミシン目が施され上蓋シート４Ｂが底ケース１に接着して接着シート４Ｂにテンションを与えると容易に切断されて次の底ケース１に接着の準備がされる。
ここでは上蓋シート４Ｂを底ケース１に接着したが、底ケース１と上蓋シート４Ｂが同一材料であれば不図示の超音波溶着機を使って底ケース１と上蓋シート４Ｂを結合することも可能である。
【００２９】
図６は、本発明の写真・広告同梱システムのブロック図を示す。
【００３０】
１１は、１１Ａ、１１Ｂで示す個人端末の群を示す個人端末ブロックで、１２で示すネットワークを介して、１３で示すサーバーの後述する各メモリにアップロードする。
【００３１】
ここで１１Ａが写真を贈呈する贈呈者が写真をサーバー１３にアップロードする端末で、１１Ｂは写真を贈呈される被贈呈者が個人情報をサーバー１３に入力する端末である。画像には、撮影日、撮影カメラ等のＥＸＩＦ情報の他、例えば富士山などのタイトルが付されている。
【００３２】
贈呈者端末１１Ａは画像をサーバー１３にアップロードし、１４で示す画像群メモリに格納する。
【００３３】
被贈呈者端末１１Ｂは個人情報の内、氏名、住所、電話番号、メールアドレスを含む通信情報を１５Ａで示す個人情報（通信情報）メモリに格納し、個人情報としてその他、後述する顔画像情報、希望分野等の通信情報以外の情報は１５Ｂで示す個人情報（通信外情報）メモリに格納する。
【００３４】
また、１５Ｃは日時情報出力部を示し、写真・広告が発送される発送日情報を示し、選択する広告にその発送日情報に応じた広告が選択され、また、時にはプレゼントする画像は日時情報出力部１５Ｃからの出力される発送日情報に応じた画像が選択されこともある。
１５Dは贈呈者端末から入力される価格情報出力部で、価格情報出力部１５Dから出力されるか価格情報が後述の制御部から出力され、写真プリント枚数が設定される。
【００３５】
さらに、被贈呈者端末１１Ｂに、顔画像が含まれた画像を１枚のみとか２枚までとか、趣味に関する画像も同じく１枚のみとか２枚までとかを含めて入力することができる。
【００３６】
１６は、贈呈する写真と同梱する広告の群を格納する広告群メモリであり、広告には例えば音楽の演奏日、お店の開店セールのように期日がある広告について広告期限日情報を付して記憶する。
【００３７】
１７は、制御部で、個人情報（通信情報）メモリ１５Ａに格納された個人情報（通信情報）と、日時情報出力部に記憶された発送日情報に基づき広告群メモリ１６に格納された広告とを比較して相応しい広告を選択し、１６Ａで示す広告メモリに格納する。広告メモリ１６Ａには広告群メモリ１６と同様に広告に期限情報があるものは各広告に期限日情報を付して記憶する。
【００３８】
また、画像情報には付与されたタイトルに相応した広告が選択可能であり、個人情報（通信外情報）１５Ｂに格納された個人情報(通信外情報)に相応した広告も選択可能である。
【００３９】
また、制御部１７には、画像についても画像ブレ、露出、色、構図を含めた条件が格納され、画像ブレ、露出、色、構図において好ましい画像が選択されるように制御される。
【００４０】
制御部１７で選択した画像を１４Ａで示す画像メモリに格納する。
【００４１】
１８は出力部を示し、１９で示すプリンタと、２１で示す収容装置、２２で示す蓋閉鎖装置を備え、プリンタ１９で選択された画像をプリントして写真Ｐとし、全プリント枚数は前述したように価格情報出力部１５Dより出力された価格情報によって決められる。写真Pと選択された広告を、プリンタ１９でプリントして広告シートＱとして、２１で示す収容装置で同梱し、２２で示す蓋閉鎖装置で上蓋４を底ケース１に貼り付ける。ここでは広告シートＱはプリンタ１９でプリントしているが、別途印刷された広告シートＱに識別記号を付与して不図示の選択取出装置で取り出して収容装置２１に写真Ｐと一緒に同梱することができる。
【００４２】
図７は、本発明の写真・広告同梱システムの制御部１７のプログラムを表す第１のフローチャートを示し、画像をサーバー１３にアップロードするフローチャートを示している。
【００４３】
Ｓ１は端末１１Ａより画像を、ネットワーク１２を介してサーバー１３にアップロードし、画像群メモリ１４に記憶する。そのときに画像のタイトルも各画像とともに記憶する。
【００４４】
図８は、本発明の写真・広告同梱システムの制御部１７のプログラムを表す第２のフローチャートを示し、被贈呈者の個人情報には通信情報のみ存在する場合に贈呈する画像を選択して、被贈呈者の個人情報、ここでは住所情報、また同梱する写真に関連する広告を同梱して底ケース１に収容するフローチャートを示す。
【００４５】
Ｓ１１で、画像群メモリ１４に対して制御部１７が贈呈者の全画像を選択し、価格情報出力部１５Dによって設定されたプリント枚数をｎ枚として、Ｓ１２で制御部１７は後述する画像評価を行なってＳ１３で高評価点ｎ位までの画像を選択して、Ｓ１４に進みプリントする。
【００４６】
次に、Ｓ１５で同梱する広告は、被贈呈者の個人情報が通信情報しか有しないので、その個人情報の住所に近い広告、例えばショッピング街の広告、その住所の近いところで実施されるスポーツの広告など、被贈呈者の住所情報に近いところで行なわれる催し情報に関する広告が選択される。
【００４７】
さらに、Ｓ１６で、選択された画像のタイトルに関連する広告、例えば画像が風景画像である場合には、その画像が例えば、○○国立公園の画像であるタイトルがついていると、そのタイトル、またはタイトルに関連する広告、例えば○○国立公園の旅の広告を選択して、Ｓ１７に進み、収容装置１１に対して制御部１７より信号を出力して底ケース１に収容し、Ｓ１８に進み、宛先等を記入し後述するヘッダープリント３を挿入し、Ｓ１９に進んで上蓋４で閉鎖して、Ｓ２０に進んで終了する。
【００４８】
図９は、本発明の写真・広告同梱システムの制御部１７のプログラムを表す第３のフローチャートを示し、被贈呈者の個人情報（通信外情報）１５Ｂの一つである被贈呈者の顔画像と類似した贈呈者の撮影した画像を選択し、その画像ｍ枚と、被贈呈者が希望する画像の分野からｎ枚の画像を選択し、さらに同梱する広告を選択するフローチャートを示す。
【００４９】
Ｓ２１は、個人情報（通信外情報）１５Ｂから被贈呈者の顔画像の見本として少なくとも一つの画像を出力し、Ｓ２２で贈呈者の画像の中で顔画像と比較し、Ｓ２３で顔画像をすべて比較して類似の順位を確定する。この際に顔の類似画像を発見する公知の技術として、顔画像から目立つ特徴を抽出することで識別する。例えば、顔のパーツの相対位置や大きさ、目や鼻やほお骨やあごの形を特徴として利用して順位付けを行なう。          
【００５０】
Ｓ２４で被贈呈者の希望分野を個人情報（通信外情報）１５Ｂより制御部１７に出力し、制御部１７が贈呈者の画像群から選択し、Ｓ２５で後述する画像評価を行い、Ｓ２６で、顔画像の入った画像ｍ枚以下でと全写真枚数ｎ枚の画像を選択して画像出力部８より出力して、Ｓ２７に導きプリンタ９でプリントする。ここで顔画像の枚数をｍ枚よりも多くならないように制限する。
【００５１】
次に、Ｓ２８で同梱する広告は、その個人情報（通信情報）の住所に近い広告、例えばショッピング街の広告、その住所の近いところで実施されるスポーツの広告など、被贈呈者の住所情報に近いところで行なわれる催し情報に関する広告が選択してプリンタ９でプリントまたは別途印刷された広告に付された識別記号を基に選択される。
【００５２】
次にＳ２９で、選択された画像のタイトルに関連する広告、例えば画像が風景画像である場合には、その画像が例えば、○○海岸の画像であるタイトルがついていると、そのタイトルに関する広告を選択し、Ｓ３０に進んで底ケース２に収容し、Ｓ３１に進み、宛先等を記入し後述するヘッダープリント３を挿入し、Ｓ３２に進んで上蓋４で閉鎖して、Ｓ３３に進んで終了する。
【００５３】
図１０は、本発明の写真・広告同梱システムの制御部７のプログラムを表す第４のフローチャートを示し、被贈呈者が希望分野として風景画像で特定の地を指定した場合とそうでない場合とで、画像を選択するフローを示す。
【００５４】
Ｓ４１で、贈呈者が予め風景画像と指定した画像を選択し、Ｓ４２で特定の場所の画像を選択した場合には、Ｓ４３に進み、後述する画像評価を行い、Ｓ４４に進んで高評価点ａ位までの画像を選択する。
【００５５】
次に、Ｓ４５に進んで制御部７の信号を基にプリンタ１９で、プリントを行い、Ｓ４６に進んで同梱する広告は、その個人情報の住所に近い広告、例えばショッピング街の広告、その住所の近いところで実施されるスポーツの広告など、被贈呈者の住所情報に近いところで行なわれる催し情報に関する広告が選択される。
【００５６】
次にＳ４７で、選択された画像のタイトルに関連する広告、例えば画像が特定の場所の風景画像である場合には、その画像が例えば、○○緑地の画像のタイトルがついていると、そのタイトルに関する販売、賃貸等の○○緑地に関連する広告を選択する。Ｓ４８に進んで底ケース２に収容し、Ｓ４９に進み、宛先等を記入し後述するヘッダープリント３を挿入し、Ｓ５０に進んで上蓋４で閉鎖して、Ｓ５１に進んで終了する。
【００５７】
Ｓ５２で風景画像を選択しても特定の場所の画像に限らないと判定したときは、他の場所の画像を選択し、Ｓ５３に進んで後述する画像評価を行なって、Ｓ５４に進み、高評価点ｂ位までの画像を選択し、Ｓ５５に進んで制御部７の信号でプリンタ１９で、プリントを行う。
【００５８】
次に、Ｓ５６で同梱する広告は、その個人情報の住所に近い広告、例えばショッピング街の広告、その住所の近いところで実施されるスポーツの広告など、被贈呈者の住所情報に近いところで行なわれる催し情報に関する広告が選択される。
【００５９】
次にＳ５７で、選択された画像のタイトルに関連する広告、画像が特定の場所でない場所のタイトルがついていると、それに関する広告を選択する。
【００６０】
図１１は、本発明の写真・広告同梱システムの制御部１７のプログラムを表す第５のフローチャートを示し、これまで述べてきた画像評価に関するフローチャートである。
【００６１】
Ｓ６１で予め画像評価を行なう画像群を選択し、Ｓ６２で許容できないピンボケ画像を除去し、Ｓ６３で許容できない不適正露出画像を除去し、Ｓ６４で許容できない手ぶれ画像を除去し、Ｓ６５で許容できない目つぶり画像を除去し、Ｓ６６では許容外の構図エラーを除去して画像を出力する。
【００６２】
画像評価点は、上述の例では許容できないピンボケ画像、許容できない不適正露出画像、許容できない手ぶれ画像、許容できない目つぶり画像、許容できない構図エラーを除去したが、許容できるか許容できないかもついてはピンボケ画像や手ぶれ画像や目つぶり画像については許容できない係数を大きくし、不適正露出画像は程度により許容できない係数を付け、構図エラーに関しては、たとえば水平線が斜めの場合は欠点係数を大きくし、また足が途中で切れているものは程度により許容できない係数を変化させて、それらを合算した結果を画像評価点として算出する。
【００６３】
また、ピンボケ画像、不適正露出画像、手ぶれ画像の許容できないレベルは画像をみるものからみて不愉快になるものであるので厳しいが、目つぶり画像は他の人が目つぶりでなければ許されるとか、構図エラーに関して、多少は許せるものであり、許容度にも各項目によって異ならせて算出してもよい。
【００６４】
図１２は、本発明の写真・広告同梱システムの制御部７のプログラムを表す第６のフロ
ーチャートを示し、本発明の写真・広告が顧客の手に届くときに広告の期限後にならない
ように発送日と広告期限日を比較して普通便にするのか速達便にするのかそれとも同梱し
ないかを決定するプログラムである。
【００６５】
Ｓ７１で日時情報出力部１５Ｃから出力される発送日情報である発送日と広告メモリ１６Ａに付された広告期限日の期間ＴがＭ日以上のとき、例えば６日以上のときは、Ｓ７２に進み、普通便で発送する。Ｓ７３で発送日と広告期限日の期間ＴがＭ日より短くＮ日以上のとき、例えば５日から３日の間なら速達便で発送する。もし広告期限日よりも発送日が２日しかないときはその広告と画像を同梱しない。
【００６６】
本発明の写真・広告同梱システムは、写真をプレゼントされる人にとって自分の顔画像がある写真は記念になるメリットがあり、さらに露出、色、手ブレがなく、いい構図の画像を選択されてプレゼントされて気持ちが良くなるメリットを有する。
【００６７】
また個人情報に基づく広告が同梱されているのでプレゼントされる人が買いたくなる製品を知ることになる。さらに発送日と、広告の期限日の間の期間の長さによって普通便、速達にし、またその期間が所定よりも短いと同梱しない。
【００６８】
また広告が同梱されているのでプレゼントする人に対して写真のプリント代、輸送料金に対して補助されることになるので好都合である。
【符号の説明】
【００６９】
１            底ケース
１Ａ          写真収容部
３            ヘッダープリント
４            上蓋
１１          個人端末ブロック
１２          ネットワーク
１３          サーバー
１４          画像群メモリ
１４Ａ        画像メモリ
１５Ａ        個人情報（通信情報）メモリ
１５Ｂ        個人情報（通信外情報）メモリ
１６          広告群メモリ
１６Ａ        広告メモリ
１７          制御部
１８          出力部
１９          プリンタ
２１          収容装置
２２          蓋閉鎖装置          
【図１】
0005722665.tif 000002
【図２】
0005722665.tif 000003
【図３】
0005722665.tif 000004
【図４】
0005722665.tif 000005
【図５】
0005722665.tif 000006
【図６】
0005722665.tif 000007
【図７】
0005722665.tif 000008
【図８】
0005722665.tif 000009
【図９】
0005722665.tif 000010
【図１０】
0005722665.tif 000011
【図１１】
0005722665.tif 000012
【図１２】
0005722665.tif 000013
【図１３】
0005722665.tif 000014